(57)【要約】【課題】折目をつけずに折り畳めるようにしたフィルム状映写用スクリーンを、使用するときに、平面状に緊張して張ることができる映写用スクリーン卓上装置を提供する。【解決手段】書類を綴じ込むファイル用の板状物又は箱状物（以下、単にバインダー状物という）１０の両端１０１、１０１に映写用スクリーン２０の両端２０１、２０１を取りつけ、前記映写用スクリーンを折り畳むときは、折目をつけずに曲げることができ、前記映写用スクリーンを使用するときは、平面状に張ることができる映写用スクリーン卓上装置であって、前記バインダー状物の折り曲げ部１１に、突っ張り部材３０を設け、前記映写用スクリーンを平面状に張るときは、前記バインダー状物の両側壁１０１１、１０１１を開くように、前記突っ張り部材を回動し、前記映写用スクリーンを折り畳むときは、前記突っ張り部材を前記折り曲げ部内に格納できるようにしたもの。【選択図】        図２
2011227358.tif 000002
【特許請求の範囲】
【請求項１】
書類を綴じ込み開閉するファイル用の板状物又は箱状物（以下、単にバインダー状物という）（１０）の両端（１０１）、（１０１）に映写用スクリーン（２０）の両端（２０１）、（２０１）を取りつけ、前記映写用スクリーン（２０）を折り畳むときは、折目をつけずに曲げることができ、前記映写用スクリーン（２０）を使用するときは、平面状に張ることができる映写用スクリーン卓上装置において、前記バインダー状物（１０）の折り曲げ部（１１）に、突っ張り部材（３０）を設けて、前記映写用スクリーン（２０）を平面状に張るときは、前記バインダー状物（１０）の両側壁（１０１１）、（１０１１）を開くように、前記突っ張り部材（３０）を回動し、前記映写用スクリーン（２０）を折り畳むときは、前記突っ張り部材（３０）を回動して前記折り曲げ部（１１）内に格納できるようにしたことを特徴とした映写用スクリーン卓上装置。
【請求項２】
前記突っ張り部材（３０Ａ）が、バネ板部材（３１Ａ）とリベット部材（３２Ａ）とを備え、前記リベット部材（３２Ａ）の一端を、前記バインダー状物（１０）の折り曲げ部（１１）の外面中央に頭部を保持できるようにし、他端を、前記折り曲げ部（１１）の内面に設けた前記バネ板部材（３１Ａ）の中央孔に貫入してかしめてなり、前記映写用スクリーン（２０）を平面状に張る時は、前記バネ板部材（３１Ａ）を横方向に回動し、前記映写用スクリーン（２０）を折り畳む時は、前記バネ板部材（３１Ａ）を縦方向に回動できるようにしたことを特徴とした請求項１記載の映写用スクリーン卓上装置。
【請求項３】
前記突っ張り部材（３０Ｂ）が、当接部材（３１Ｂ）と回動棒部材（３２Ｂ）と把手部材（３３Ｂ）とを備え、前記回動棒部材（３２Ｂ）の一端が、前記バインダー状物（１０）の折り曲げ部（１１）の外面中央に設けた前記把手部材（３３Ｂ）に固着すると共に、他端が、前記バインダー状物（１０）の折り曲げ部（１１）の内面中央に設けた当接部材（３１Ｂ）に、スリーブ（３２１Ｂ）を介して固着してなり、前記映写用スクリーン（２０）を平面状に張る時は、前記当接部材（３１Ｂ）を前記把手部材（３３Ｂ）を介して横方向に回動して前記バインダー状物（１０）の両側壁（１０１１）、（１０１１）内面に当接させ、前記映写用スクリーン（２０）を折り畳む時は、前記当接部材（３１Ｂ）を前記把手部材（３３Ｂ）を介して縦方向に回動できるようにしたことを特徴とした請求項１記載の映写用スクリーン卓上装置。
【請求項４】
前記突っ張り部材（３０Ｃ）が、前記バインダー状物（１０）の前記折り曲げ部（１１）の中央に折り曲げ可能に切り抜かれた中央片（１１０）と、これに続く各側壁（１０１１）に前記中央片（１１０）の両側の折線（１１１）から等距離に切り抜かれた一対の突出片（３１Ｃ）とを備え、前記映写用スクリーン（２０）を平面状に張る時は、前記中央片（１１０）を前記折り曲げ部（１１）の内側に押し込んで前記両突出片（３１Ｃ）、（３１Ｃ）の切り込み溝（３１１Ｃ）、（３１１Ｃ）を、切り抜かれた両側壁（１０１１）、（１０１１）の各切り込み溝（１０１２）、（１０１２）にそれぞれ嵌入して止着し、前記映写用スクリーン（２０）を折り畳む時は、前記両突出片（３１Ｃ）、（３１Ｃ）の前記切り込み溝（３１１Ｃ）、（３１１Ｃ）を、前記切り抜かれた両側壁（１０１１）、（１０１１）の前記切り込み溝（１０１２）、（１０１２）から脱離して、前記中央片（１１０）と前記一対の突出片（３１Ｃ）、（３１Ｃ）を折り曲げて前記バインダー状物（１０）の前記折り曲げ部（１１）内に格納できるようにしたことを特徴とした請求項１記載の映写用スクリーン卓上装置。
【請求項５】
前記突っ張り部材（３０Ｄ）が、前記バインダー状物（１０）の前記折り曲げ部（１１）中央に折り曲げ可能に切り抜かれた中央片（１１０）を備えると共に、これに続く前記バインダー状物（１０）の両側壁（１０１１）、（１０１１）の内面に突起物（３１Ｄ）、（３１Ｄ）を設け、前記映写用スクリーン（２０）を平面状に張る時は、前記中央片（１１０）を前記折り曲げ部（１１）の内側に押し込んで前記両突起物（３１Ｄ）、（３１Ｄ）の間に嵌入して止着し、前記映写用スクリーン（２０）を折り畳む時は、前記中央片（１１０）を前記突起物（３１Ｄ）、（３１Ｄ）から離して前記バインダー状物（１０）の前記折り曲げ部（１１）に復帰できるようにしたことを特徴とした請求項１記載の映写用スクリーン卓上装置。
【発明の詳細な説明】
【技術分野】
【０００１】
本発明は、書類を綴じ込むファイル用の板状物又は箱状物（以下、単にバインダー状物という）の両端に、映写用スクリーンの両端を取りつけ、前記映写用スクリーンを折り畳むときは、折目をつけずに曲げることができ、前記映写用スクリーンを使用するときは、平面状に張ることができる映写用スクリーン卓上装置に関する。
【背景技術】
【０００２】
上記映写用スクリーン卓上装置は、特開平９−２３０５０５号公報の図１及び図２に示すように、携帯に便利で卓上で映写用スクリーンを拡げて使用でき、格納も手提げカバンに格納できて、最近の手のひらサイズのＬＥＤプロジェクターに好適な反射形映写用スクリーンの映写手段として示されている。しかしながら、フィルム状の映写用スクリーンを拡げて平面状に張るためには、下記の先行技術文献に示すような種々の手段が考えられたが、いずれも、映写用スクリーンを平面状に張ることが不充分か、製作が複雑で手間がかかり高価につく、折り畳みに時間がかかる等の問題点があった。
【先行技術文献】
【特許文献】
【０００３】
【特許文献１】特開平０９−２３０５０５号公報
【特許文献２】特開平０９−２３０５０３号公報
【特許文献３】特開平１０−４８７４９号公報
【特許文献４】特開２００３−１５２２６号公報
【発明の概要】
【発明が解決しようとする課題】
【０００４】
本発明は、バインダー状物の両端に取りつけられ、折目をつけずに折り畳めるようにしたフィルム状映写用スクリーンを、使用するときに、平面状に緊張して張ることができる映写用スクリーン卓上装置を提供するものである。
また、本発明は、取扱が容易で、軽量かつ簡単安価に製作できる映写用スクリーン卓上装置を提供するものである。
【課題を解決するための手段】
【０００５】
本発明映写用スクリーン卓上装置の請求項１の発明は、上記課題を達成するため、図示するように、書類を綴じ込み開閉するファイル用の板状物又は箱状物（以下、単にバインダー状物という）１０の両端１０１、１０１に映写用スクリーン２０の両端２０１、２０１を取りつけ、前記映写用スクリーン２０を折り畳むときは、折目をつけずに曲げることができ、前記映写用スクリーン２０を使用するときは、平面状に張ることができる映写用スクリーン卓上装置において、前記バインダー状物１０の折り曲げ部１１に、突っ張り部材３０を設けて、前記映写用スクリーン２０を平面状に張るときは、前記バインダー状物１０の両側壁１０１１、１０１１を開くように、前記突っ張り部材３０を回動し、前記映写用スクリーン２０を折り畳むときは、前記突っ張り部材３０を回動して前記折り曲げ部１１内に格納できるようにしたものである。
また、本発明映写用スクリーン卓上装置の請求項２の発明は、上記課題を達成するため、図示するように、請求項１記載の発明において、前記突っ張り部材３０Ａが、バネ板部材３１Ａとリベット部材３２Ａとを備え、前記リベット部材３２Ａの一端を、前記バインダー状物１０の折り曲げ部１１の外面中央に頭部を保持できるようにし、他端を、前記折り曲げ部１１の内面に設けた前記バネ板部材３１Ａの中央孔に貫入してかしめてなり、前記映写用スクリーン２０を平面状に張る時は、前記バネ板部材３１Ａを横方向に回動し、前記映写用スクリーン２０を折り畳む時は、前記バネ板部材３１Ａを縦方向に回動できるようにしたものである。
また、本発明映写用スクリーン卓上装置の請求項３の発明は、上記課題を達成するため、図示するように、請求項１記載の発明において、前記突っ張り部材３０Ｂが、当接部材３１Ｂと回動棒部材３２Ｂと把手部材３３Ｂとを備え、前記回動棒部材３２Ｂの一端が、前記バインダー状物１０の折り曲げ部１１の外面中央に設けた前記把手部材３３Ｂに固着すると共に、他端が、前記バインダー状物１０の折り曲げ部１１の内面中央に設けた当接部材３１Ｂに、スリーブ３２１Ｂを介して固着してなり、前記映写用スクリーン２０を平面状に張る時は、前記当接部材３１Ｂを前記把手部材３３Ｂを介して横方向に回動して前記バインダー状物１０の両側壁１０１１、１０１１内面に当接させ、前記映写用スクリーン２０を折り畳む時は、前記当接部材３１Ｂを前記把手部材３３Ｂを介して縦方向に回動できるようにしたものである。
また、本発明映写用スクリーン卓上装置の請求項４の発明は、上記課題を達成するため、図示するように、請求項１記載の発明において、前記突っ張り部材３０Ｃが、前記バインダー状物１０の前記折り曲げ部１１の中央に折り曲げ可能に切り抜かれた中央片１１０と、これに続く各側壁１０１１に前記中央片１１０の両側の折線１１１から等距離に切り抜かれた一対の突出片３１Ｃとを備え、前記映写用スクリーン２０を平面状に張る時は、前記中央片１１０を前記折り曲げ部１１の内側に押し込んで前記両突出片３１Ｃ、３１Ｃの切り込み溝３１１Ｃ、３１１Ｃを、切り抜かれた両側壁１０１１、１０１１の切り込み溝１０１２、１０１２にそれぞれ嵌入して止着し、前記映写用スクリーン２０を折り畳む時は、前記両突出片３１Ｃ、３１Ｃの前記切り込み溝３１１Ｃ、３１１Ｃを、前記切り抜かれた両側壁１０１１、１０１１の前記切り込み溝１０１２、１０１２から脱離して、前記中央片１１０と前記一対の突出片３１Ｃ、３１Ｃを折り曲げて前記バインダー状物１０の前記折り曲げ部１１内に格納できるようにしたものである。
さらに、本発明映写用スクリーン卓上装置の請求項５の発明は、上記課題を達成するため、図示するように、請求項１記載の発明において、前記突っ張り部材３０Ｄが、前記バインダー状物１０の前記折り曲げ部１１中央に折り曲げ可能に切り抜かれた中央片１１０を備えると共に、これに続く前記バインダー状物１０の両側壁１０１１、１０１１の内面に突起物３１Ｄ、３１Ｄを設け、前記映写用スクリーン２０を平面状に張る時は、前記中央片１１０を前記折り曲げ部１１の内側に押し込んで前記両突起物３１Ｄ、３１Ｄの間に嵌入して止着し、前記映写用スクリーン２０を折り畳む時は、前記中央片１１０を前記突起物３１Ｄ、３１Ｄから離して前記バインダー状物１０の前記折り曲げ部１１に復帰できるようにしたものである。
本発明において、映写用スクリーン２０は、折り畳むとき、折目をつけずに曲げることができる合成樹脂製フィルム、紙、不織布等の公知の反射形映写用スクリーン材料はすべて含まれる。
突っ張り部材３０は、前記映写用スクリーン２０を平面状に張るときは、バインダー状物１０を強制的に開いて、バインダー状物１０の両側壁１０１１及び１０１１を固定し、映写用スクリーン２０を折り畳むときは、前記バインダー状物１０の折り曲げ部１１に格納されるものである。
【発明の効果】
【０００６】
本発明映写用スクリーン卓上装置は、映写用スクリーン２０を使用するときは、バインダー状物１０の折り曲げ部１１の外面又は内面から、突っ張り部材３０を回動すれば、映写用スクリーン２０を平面的に緊張して張ることができ、映写用スクリーン２０を折り畳むときは、バインダー状物１０と共に折り畳むことができ、迅速容易に取り扱いができると共に、軽量簡単で安価に製作できる。
【図面の簡単な説明】
【０００７】
【図１】本発明映写用スクリーン卓上装置の実施例の正面からみた斜視図である。
【図２】図１の背面からみた斜視図である。
【図３】図１の折り畳んだときの斜視図である。
【図４】図１に使用した突っ張り部材の断面図的な説明図である。
【図５】本発明映写用スクリーン卓上装置の別の実施例の背面からみた斜視図である。
【図６】図５の折り畳んだときの斜視図である。
【図７】図５に使用した突っ張り部材の断面図的な説明図である。
【図８】本発明映写用スクリーン卓上装置のさらに別の実施例の背面からみた斜視図である。
【図９】図８の折り畳んだときの斜視図である。
【図１０】図８の展開図である。
【図１１】本発明映写用スクリーン卓上装置のさらに別の実施例の背面からみた斜視図である。
【図１２】図１１を正面からみたときの斜視図である。
【図１３】図１１の折り畳んだときの斜視図である。
【図１４】図１１の展開図である。
【発明を実施するための形態】
【０００８】
本発明映写用スクリーン卓上装置を実施するための最良の形態が実施例１乃至実施例３に示されている。
【実施例１】
【０００９】
本発明映写用スクリーン卓上装置の実施例１が図１乃至図４に示されている。本発明実施例の映写用スクリーン卓上装置は、バインダー状物１０と、映写用スクリーン２０と、突っ張り部材３０Ａとからなる。
バインダー状物１０は、合成樹脂又は厚紙からつくられ、折り曲げ部１１の両側に内折れできる折線を介して両側壁板１０１１、１０１１を設けて開閉可能にし、両端１０１、１０１には、多数の小フック状物を設けたテープと多数の小ループ状物を設けたテープにより接合可能にした、いわゆるマジックテープからなる接合部材１０２をそれぞれ貼着している。
映写用スクリーン２０は、合成樹脂フィルム製の反射形映写用スクリーンからなり、両端２０１、２０１は、バインダー状物１０の両端１０１、１０１近くに固着されている。
突っ張り部材３０Ａは、弓状に弾性的に湾曲できると共に、中央に貫孔を設けたバネ板部材３１Ａと、鳩目の筒状リベットであって、足付のキャップカバー（キャップ部材）３２１Ａを備えたリベット部材３２Ａと、ワッシャ３２２Ａとを備えている。
リベット部材３２Ａは、筒状の鳩目と称せられるもので、図４に示すように、バインダー状物１０の折り曲げ部１１の中央外面から頭部を残すように貫入して、折り曲げ部１１の内面でワッシャ３２２Ａを介してバネ板部材３１Ａの中央穴に貫入してかしめられると共に、キャップ部材３２１Ａはキャップをリベット３２Ａの頭部に被せると共に、連設された軟質棒状の足を筒状の鳩目内に入れて埋設したものである。
従って、映写用スクリーン２０を使用するときは、バネ板部材３１Ａを折り曲げ部１１に直角な横方向に回動して、バネ板部材３１Ａのバネ力によりバインダー状物１０の両側壁１０１１、１０１１を強制的に開いて、映写用スクリーン２０を緊張させて平面状に張り、映写用スクリーン２０を折り畳むときは、バネ板部材３１Ａを折り曲げ部１１に沿った縦方向に回動すれば、バインダー状物１０の両側壁１０１１、１０１１は、バネ力を失ってしまうので、バインダー状物１０を手で閉じることができる状態になり、バネ板部材３１Ａを折り曲げ部１１の内側に格納できると共に、バインダー状物１０を、１対の接合部材１０２を介して閉じた状態を維持することができる。
【実施例２】
【００１０】
本発明映写用スクリーン卓上装置の実施例２が、図５乃至図７にに示されている。本発明実施例の映写用スクリーン卓上装置は、バインダー状物１０と、映写用スクリーン２０と、突っ張り部材３０Ｂとからなる。
バインダー状物１０及び映写用スクリーン２０は、本発明実施例１と本体は同じであるので、詳細説明は省略する。
突っ張り部材３０Ｂは、幅の狭い長板又は棒状物からなる当接部材３１Ｂと、金属製、合成樹脂製又は木製の丸棒状の回動棒部材３２Ｂと、棒状、ハンドル状等の把手部材３３Ｂと、円筒状のスリーブ３２１Ｂと、ワッシャ３２２Ａとを備えている。
回動棒部材３２Ｂは、一端を図７に示すように、バインダー状物１０の折り曲げ部１１の中央外面に、ワッシャ３２２Ｂを介して把手部材３３Ｂに固着し、他端を折り曲げ部１１の内面に貫入させ、スリーブ３２１Ｂを介して、当接部材の中央穴に貫入させて固着させる。この場合、当接部材３１Ｂ及び把手部材３３Ｂは、回動棒部材３２Ｂと一体的に回動できるように形成する。
従って、映写用スクリーン２０を使用するときは、把手部材３３Ｂを、折り曲げ部１１に直角な横方向に回動して、バインダー状物１０の両側壁１０１１、１０１１に、当接部材３１Ｂの両端を強く当接させることにより、強制的に開いて、映写用スクリーン２０を緊張させて平面状に張ることができ、映写用スクリーン２０を折り畳むときは、把手部材３３Ｂを折り曲げ部１１に沿った縦方向に回動すれば、当接部材３１Ｂを折り曲げ部１１の内側に格納して、バインダー状物１０が閉じることができるようになり、１対のホックからなる接合部材１０２Ｂを介して閉じた状態を維持することができる。
【実施例３】
【００１１】
本発明映写用スクリーン卓上装置の実施例３が、図８乃至図１０に示されている。本発明実施例の映写用スクリーン卓上装置は、バインダー状物１０と、映写用スクリーン２０と、突っ張り部材３０Ｃとからなる。
バインダー状物１０は、図１０に示すように、折り曲げ部１１の中央の一部分とこれに続く両側の一部分にわたって、切り抜かれた切り抜き部分１０１０が形成され、また、切り抜き部分１０１０から切り残した切り残し部分として、中央片１１１と突っ張り部材３０Ｃが形成される。これ以外は、本発明実施例１と本体は同じであるので、詳細説明は省略する。
バインダー状物１０及び映写用スクリーン２０は、本発明実施例１と本体は同じであるので、詳細説明は省略する。
突っ張り部材３０Ｃは、図１０に示すように、切り抜き部分１０１０から切り残した部分の折線１１２を介して内折りされた中央片１１０と、これに続く両側壁板１０１１、１０１１に、一対の折線１１１、１１１を介して内折りされる一対の突出片３１Ｃ、３１Ｃとからなっている。
従って、映写用スクリーン２０を使用するときは、バインダー状物１０の両側壁１０１１、１０１１を手で開いたのち、図８に示すように、折り曲げ部１１の折線１１２を介して、ほぼ直角に折れている中央片１１０の両側の突出片３１Ｃ、３１Ｃの切り込み溝３１１Ｃ、３１１Ｃを、それぞれ中央片１１０とほぼ同一平面上になるように、両側壁１０１１、１０１１の切り抜き部分１０１０の両側の切り込み溝１０１２、１０１２に差し込むようにすれば、映写用スクリーン２０は緊張して平面状に張れることになる。映写用スクリーン２０を折り畳むときは、突出片３１Ｃ、３１Ｃの切り込み溝３１１Ｃ、３１１Ｃと、切り抜き部分１０１０の切り込み溝１０１２、１０１２とを脱離すれば、バインダー状物１０を閉じることができるようになり、両側端１０１、１０１の近くに設けた一対のマグネットテープの接合部材１０２Ｃを接合すれば、閉じた状態を維持することになる。
【実施例４】
【００１２】
本発明映写用スクリーン卓上装置の実施例４が、図１１乃至図１４に示されている。本発明実施例の映写用スクリーン卓上装置は、バインダー状物１０と、映写用スクリーン２０と、突っ張り部材３０Ｄとからなる。
バインダー状物１０は、図１１及び図１２に示すように、折り曲げ部１１の中央部分に中央片１１０を残して、切り抜かれた切り抜き部分１０１０が形成され、また、これに続く両側壁１０１１、１０１１の内面に、折り曲げ部１１に隣接して突起物３１Ｄ、３１Ｄが固着される。これ以外は、本発明実施例１と本体は同じであるので、詳細説明は省略する。
バインダー状物１０及び映写用スクリーン２０は、本発明実施例１と本体は同じであるので、詳細説明は省略する。
突っ張り部材３０Ｄは、図１１及び図１２に示すように、切り抜き部分１０１０から切り残した部分の折線１１２、１１２を介して内折りされた中央片１１０と、これに続く両側壁板１０１１、１０１１内面に設けられた一対の突起物３１Ｄ、３１Ｄとからなっている。
従って、映写用スクリーン２０を使用するときは、バインダー状物１０の両側壁１０１１、１０１１を手で開いたのち、図１１に示すように、折り曲げ部１１の折線１１２、１１２を介して、折り曲げ可能な中央片１１０を内面の突起物３１Ｄ、３１Ｄに接するようにしながら内部に折り込めば、映写用スクリーン２０は緊張して平面状に張れることになる。映写用スクリーン２０を折り畳むときは、中央片１１０を突起物３１Ｄ、３１Ｄから脱離するように引き出せば、バインダー状物１０を閉じることができるようになり、両側端１０１、１０１の近くに設けた一対のマグネットテープの接合部材１０２Ｄを接合すれば、閉じた状態を維持することになる。
【産業上の利用可能性】
【００１３】
本発明品は、小型、軽量、折り畳み可能で量産できる。
【符号の説明】
【００１４】
１０        バインダー状物
１０１      バインダー状物の端部
１０１０    バインダー状物の切り抜き部分
１０１１    バインダー状物の側壁
１０１２    バインダー状物の切り抜き部分の切り込み溝
１１        バインダー状物の折り曲げ部
１１０      バインダー状物の中央片
１１２      バインダー状物の中央片の折線
２０        映写用スクリーン
２０１      映写用スクリーンの端部
３０、３０Ａ、３０Ｂ、３０Ｃ      突っ張り部材
３１Ｃ      バインダー状物の突出片
３１１Ｃ    突出片の切り込み溝
３１Ａ      バネ板部材
３１Ｂ      当接部材
３１Ｃ      突出片
３１Ｄ      突起物
３２Ａ      リベット部材
３２Ｂ      回動棒部材
３２１Ｂ    スリーブ
３３Ｂ      把手部材
【図１】
2011227358.tif 000003
【図２】
2011227358.tif 000004
【図３】
2011227358.tif 000005
【図４】
2011227358.tif 000006
【図５】
2011227358.tif 000007
【図６】
2011227358.tif 000008
【図７】
2011227358.tif 000009
【図８】
2011227358.tif 000010
【図９】
2011227358.tif 000011
【図１０】
2011227358.tif 000012
【図１１】
2011227358.tif 000013
【図１２】
2011227358.tif 000014
【図１３】
2011227358.tif 000015
【図１４】
2011227358.tif 000016